(57)【要約】【課題】主にイベント会場等において、写真、絵画等の各種額縁対象物を場内のブロック塀、樹木、等々を利用して展示するのに適した全天候型の展示装置を提供せんとする。【解決手段】額縁対象物（４）と、この額縁対象物を取り付ける額縁（２）と、この額縁を展示箇所（Ｍ）に取り付ける取付手段とから成る特に野外展示用の展示装置（１Ａ〜１Ｃ）であって、前記額縁対象物を少なくともその表面に防水処理を施したシート状のもので構成すると共に、前記額縁を、表示窓部を設け断面アングル形状を呈した外枠（２１）と、この外枠に前記額縁対象物を挟んで固定される裏蓋（２２）と、で構成し、前記取付手段は、前記裏蓋の中央位置に取り付けられ前記額縁との間で前記展示箇所を挟んで前記額縁を着脱可能に吊り下げるハンガー部材（３Ａ〜３Ｆ）と、このハンガー部材を前記展示箇所に固定させる固定手段（３４ａ、３４ｂ）とで構成することによって解決し得る。【選択図】図１
2017051268.tif 000002
【特許請求の範囲】
【請求項１】
額縁対象物と、この額縁対象物を取り付ける額縁と、この額縁を展示箇所に取り付ける取付手段とから成る特に野外展示用の展示装置であって、前記額縁対象物を少なくともその表面に防水処理を施したシート状のもので構成すると共に、前記額縁を、表示窓部を設け断面アングル形状を呈した外枠と、この外枠に前記額縁対象物を挟んで固定される裏蓋と、で構成し、前記取付手段は、前記裏蓋の中央位置に取り付けられ前記額縁との間で前記展示箇所を挟んで前記額縁を着脱可能に吊り下げるハンガー部材と、このハンガー部材を前記展示箇所に固定させる固定手段とで構成したことを特徴とする、展示装置。
【請求項２】
前記ハンガー部材が、細長い金属板を略コの字形に折り曲げて成る前面板と上面板と背面板とを有し、前記前面板は前記額縁の裏蓋に固定され、前記上面板は前記展示個所の頂部を跨いで前後方向へ延び、前記背面板は前記展示個所の背面に沿って下方へ向けて延びるよう形成されたことを特徴とする、請求項１に記載の展示装置。
【請求項３】
前記展示個所の厚さに応じて、前記ハンガー部材の前記前面板と背面板との間隔を増減させる間隔調整手段を設けたことを特徴とする、請求項１に記載の展示装置。
【請求項４】
額縁対象物と、この額縁対象物を取り付ける額縁と、この額縁を展示箇所に取り付ける取付手段とから成る特に野外展示用の展示装置であって、前記額縁対象物を少なくともその表面に防水処理を施したシート状のもので構成すると共に、前記額縁を、表示窓部を設け断面アングル形状を呈した外枠と、この外枠に前記額縁対象物を挟んで固定される裏蓋と、で構成し、前記取付手段は、前記額縁に取り付けられ、前記額縁を前記展示個所に着脱可能に結び付ける紐、ワイヤ等の締結線を挿通する締結線挿通具で構成したことを特徴とする、展示装置。
【請求項５】
額縁対象物と、この額縁対象物を取り付ける額縁と、この額縁を展示箇所に取り付ける取付手段とから成る特に野外展示用の展示装置であって、前記額縁対象物を少なくともその表面に防水処理を施したシート状のもので構成すると共に、前記額縁を、表示窓部を設け断面アングル形状を呈した外枠と、この外枠に前記額縁対象物を挟んで固定される裏蓋と、で構成し、前記取付手段は、前記額縁に取り付けられ、前記展示個所のガラス、プラスチック等の平滑な表面に真空吸着する吸盤で構成したことを特徴とする、展示装置。
【請求項６】
額縁対象物と、この額縁対象物を取り付ける額縁と、この額縁を展示箇所に取り付ける取付手段とから成る特に野外展示用の展示装置であって、前記額縁対象物を少なくともその表面に防水処理を施したシート状のもので構成すると共に、前記額縁を、表示窓部を設け断面アングル形状を呈した外枠と、この外枠に前記額縁対象物を挟んで固定される裏蓋と、で構成し、前記取付手段は、前記額縁に取り付けられ、磁性体金属部を有する前記展示個所の表面に吸着する磁石で構成したことを特徴とする、展示装置。
【請求項７】
前記額縁の前記表示窓部に透明な保護ガラス板または保護プラスチック板を設けた、請求項１から６までのいずれか１項に記載の展示装置。
【請求項８】
前記額縁対象物の表面の前記防水処理が、合成樹脂のコーティング処理または合成樹脂フィルムによるラミネート処理である、請求項１から６までのいずれか１項に記載の展示装置。
【発明の詳細な説明】
【技術分野】
【０００１】
本発明は、展示装置に関し、より具体的には、祭り、集会、露店、等々の主に野外のイベント会場において、写真、絵画、細工品、商品説明、等々の額縁対象物（展示内容物）を、場内のブロック塀、堤防、樹木、等々を利用して展示もしくは掲示するのに適し、降雨等の天候変化にも耐えられる展示装置に関する。
【背景技術】
【０００２】
従来、前記の如き額縁対象物は、額縁（フォトフレームやパネル等を含む）に入れ、会場の壁面に専用の掛け具等を用いて展示もしくは掲示したり、特別に用意した陳列棚やテーブル上に静置して展示するようしていた。
【０００３】
そのために、例えば、下記の特許文献１〜３には、額縁等を壁面に安定して取り付けることができるようにした取付具や固定具が開示されている。しかしながら、これらの特許文献１〜３で開示された取付具等は、いずれも室内の壁面に額縁等を取り付ける場合を想定したものであり、前記のような主に野外のイベント会場において、展示のための特別の壁面等が存在しない状況下では、殆ど利用できないものであった。
【０００４】
一方、下記特許文献４には、野外や浴室等に展示しても雨水や湿気、紫外線等によって額装品本体が損傷することのない額装品が開示されている。しかしながら、この特許文献４に記載の額装品は、それを野外のブロック塀等の展示個所に取り付けるための手段については特に考慮されておらず、野外での展示には不便であると共に、部品数も多くコスト高になるという問題があった。
【先行技術文献】
【特許文献】
【０００５】
【特許文献１】特開２０１４−１７１４８１号公報
【特許文献２】特開２０１５−２５２９４号公報
【特許文献３】特開２０１５−３７８４６号公報
【特許文献４】特許第４７１６５８７号公報
【発明の概要】
【発明が解決しようとする課題】
【０００６】
本発明は、上記の問題点を解決するためになされたものであり、その目的とするところは、祭り、集会、売出し、等々の主に野外のイベント会場において、写真、絵画、細工品、商品説明ポスター、等々の額縁対象物を場内のブロック塀、堤防、樹木、柱、等々を利用して展示もしくは掲示するのに適しており、風雨等の悪天候にも耐えることのできる全天候型の展示装置を提供せんとするにある。
【課題を解決するための手段】
【０００７】
上記課題を解決するため、本発明に係る展示装置は、額縁対象物と、この額縁対象物を取り付ける額縁と、この額縁を展示箇所に取り付ける取付手段とから成る特に野外展示用の展示装置であって、前記額縁対象物を少なくともその表面に防水処理を施したシート状のもので構成すると共に、前記額縁を、表示窓部を設け断面アングル形状を呈した外枠と、この外枠に前記額縁対象物を挟んで固定される裏蓋と、で構成し、前記取付手段は、前記裏蓋の中央位置に取り付けられ前記額縁との間で前記展示箇所を挟んで前記額縁を着脱可能に吊り下げるハンガー部材と、このハンガー部材を前記展示箇所に固定させる固定手段とで構成したことを特徴とする。
【０００８】
望ましい実施例においては、前記ハンガー部材が、細長い金属板を略コの字形に折り曲げて成る前面板と上面板と背面板とを有し、前記前面板は前記額縁の裏蓋に固定され、前記上面板は前記展示個所の頂部を跨いで前後方向へ延び、前記背面板は前記展示個所の背面に沿って下方へ向けて延びるよう形成されたことを特徴とする。
【０００９】
望ましい実施例においては、前記展示個所の厚さに応じて、前記ハンガー部材の前記前面板と背面板との間隔を増減させる間隔調整手段を設けたことを特徴とする。
【００１０】
上記課題を解決するために、更に本発明は、前記取付手段を、前記額縁に取り付けられ、前記額縁を前記展示個所に着脱可能に結び付ける紐、ワイヤ等の締結線を挿通する締結線挿通具で構成したことを特徴とする展示装置を提供する。
【００１１】
また、上記課題を解決するために、更に本発明は、前記取付手段を、前記額縁に取り付けられ、前記展示個所のガラス、プラスチック等の平滑な表面に真空吸着する吸盤で構成したことを特徴とする展示装置を提供する。
【００１２】
また、上記課題を解決するために、更に本発明は、前記取付手段を、前記額縁に取り付けられ、磁性体金属部を有する前記展示個所の表面に吸着する磁石で構成したことを特徴とする展示装置を提供する。
【００１３】
必要に応じて、前記額縁の前記表示窓部に透明な保護ガラス板または保護プラスチック板を設ける場合もある。
【００１４】
また、前記額縁対象物の表面の前記防水処理としては、合成樹脂のコーティング処理または合成樹脂フィルムによるラミネート処理が防水、防塵効果に優れ、好適である。
【発明の効果】
【００１５】
本発明は、上記の如き構成を有することにより、野外のイベント会場等において、額縁に取り付けた前記ハンガー部材を利用して、ブロック塀、堤防、等々の周囲のさまざまな展示個所に額縁を取り付けたり、或いは、額縁に取り付けた前記締結線挿通具を利用して、紐やワイヤ等の締結線を用いて、周囲の樹木、柱等に額縁を結わえ付けたり、或いはまた、額縁に取り付けた吸盤を利用して、ガラス窓や、周囲に置かれているプラスチック製品、塗装された金属製品、等々の平滑な表面に前記吸盤を真空吸着させたり、額縁に取り付けた磁石を利用して、磁性体金属部を有する展示個所の表面に前記磁石を吸着させたりすることにより、それらの展示個所に額縁を容易に取り付けることができるため、野外のイベント会場等での利用に適した展示装置を提供し得るものである。また、写真、絵画、書、切り絵、押し花、刺繍、レース、パッチワーク、ビーズ製品、細工物、ポスター、等々の額縁対象物の表面に、合成樹脂のコーティング処理または合成樹脂フィルムによるラミネート処理等の防水処理を施したことにより、にわか雨などの突然の天候の変化にも対応できる。また、額縁の断面アングル形状の外枠や、前記取付装置としてのハンガー部材は、鉄、アルミニウム、ステンレス等の金属をベンディングマシンで折り曲げることによって容易に加工でき、部品数も少ないため、低コストで製造できる。
【００１６】
なお、本発明の展示装置は、野外に限らず、浴室や室内のパーティション上縁など、室内の各種各様の展示個所にも容易に取り付けて使用することができることは勿論である。
【図面の簡単な説明】
【００１７】
【図１】本発明に係る展示装置の一実施例の外観斜視図である。
【図２】図１中のＡ−Ａ線に沿った断面図（一部拡大図を含む）である。
【図３】本発明に係る展示装置における額縁の外枠の一実施例を示し、（ａ）はその正面図、（ｂ）はその底面図、（ｃ）はその右側面図である。
【図４】本発明に係る展示装置における額縁の裏蓋の一実施例を示し、（ａ）はその正面図、（ｂ）はその底面図、（ｃ）はその右側面図である。
【図５】本発明に係る展示装置における額縁の裏蓋のもう１つの実施例を示す正面図である。
【図６】本発明に係る展示装置における取付手段としてのハンガー部材の一実施例を示し、（ａ）はその正面図、（ｂ）はその側面図、（ｃ）はその平面図、（ｄ）はその背面図である。
【図７】本発明におけるハンガー部材のもう１つの実施例を示し、（ａ）はその正面図、（ｂ）はその側面図、（ｃ）はその平面図、（ｄ）はその背面図である。
【図８】ハンガー部材の更にもう１つの実施例のものを用いた本発明に係る展示装置の外観斜視図である。
【図９】ハンガー部材の更にもう１つの実施例のものを用いた本発明に係る展示装置の外観斜視図である。
【図１０】本発明に係る展示装置における取付手段としての締結線挿通具を説明するためのもので、（ａ）は締結線挿通具の斜視図、（ｂ）は締結線挿通具を裏蓋に対して取り付けた状態の縦断面図、（ｃ）はその使用例を示す説明図である。
【図１１】本発明に係る展示装置における取付手段としての吸盤を用いた実施例を示す断面図である。
【図１２】本発明に係る展示装置における取付手段としての磁石を用いた実施例を示す断面図である。
【発明を実施するための形態】
【００１８】
以下、図面を参照しつつ本発明に係る展示装置の好適な実施例について説明する。
【実施例】
【００１９】
図１、図２に示した実施例に係る本発明の展示装置１Ａは、例えば図示するような世界遺産の写真その他の額縁対象物４と、これを収容する額縁２と、この額縁２を、例えばブロック塀その他の展示個所Ｍに対して着脱可能に取り付けるハンガー部材３Ａとを備えている。額縁対象物４は、野外展示時において雨水等に耐えられるよう、少なくともその表面に防水処理が施される。この防水処理としては、額縁対象物４の表面に合成樹脂をコーティングしたり、合成樹脂フィルムをラミネートしたりすることが可能である。
【００２０】
額縁２は、図１〜図４に示すように、外枠２１と裏蓋２２とから構成され、両者の間に、絵画、書、切り絵、写真、押し花、レース、刺繍、パッチワーク、ビーズ製品、細工物、ポスター、等々の各種各様の額縁対象物４を挟んで展示するようになっている。外枠２１の表示窓部２１ｗに、額縁対象物４の前面をカバーする透明な保護ガラス板もしくは保護プラスチック板を設けて、額縁対象物４を保護するようにしてもよい。ただ、イベント会場は見物客で混雑する場合があり、ガラス板が破損する危険性もあるため、プラスチック板を用いることが望ましい。
【００２１】
図示した実施例における額縁２の長方形の外枠２１（図１、２、３を参照）は、例えば鉄、アルミニウム、ステンレス等の金属やプラスチック等で作製される。外枠２１は、前縁２１ａ〜２１ｄと、これらの前縁に対して後方へ略直角に折り曲げられて成る側縁２１ｅ〜２１ｈとを有している。なお、金属の場合、この折曲げ加工は、ベンディングマシンを用いて容易に行うことが可能である。図３は、外枠２１の３面図であり、図３中の（ａ）は正面図、（ｂ）は底面図、（ｃ）は右側面図である。他方、額縁２の長方形の裏蓋２２（図１、２、４を参照）も、例えば、鉄、アルミニウム、ステンレス等の金属やプラスチック等で作製され、板部２２ａと、その外縁部をベンディングマシン等により後方へ略直角に折り曲げて成る側縁２２ｂ〜２２ｅとを有している。図４は、裏蓋２２の３面図であり、図４中の（ａ）は正面図、（ｂ）は底面図、（ｃ）は右側面図である。尚、側縁２２ｂ〜２２ｅは、前週に渡らなくとも一部のみであっても良い。この場合はプレス加工でも製作が容易である。
【００２２】
前記外枠２１の側縁２１ｇ及び側縁２１ｈには、それぞれＵ字形切欠き２１ｉおよび２１ｊが形成され、これに対応するように、前記裏蓋２２の側縁２２ｄ及び側縁２２ｅには、それぞれネジ孔２２ｆおよび２２ｇが明けられている。したがって、前記外枠２１内に前記額縁対象物４を入れた後、前記裏蓋２２を嵌め入れ、前記ネジ孔２２ｆおよび２２ｇにそれぞれ止めネジ２１ｍおよび２１ｎをねじ込むことによって、額縁２を組み立てることができる。前記Ｕ字形切欠き２１ｉおよび２１ｊをＵ字形としたのは、額縁対象物４の厚さに対応可能とするためであり、Ｕ字形に限らず、横長の長円形状としてもよい。
【００２３】
なお、前記裏蓋２２の板部２２ａの上部中央には、ネジ挿通孔２２ｈ、２２ｉが明けられ、図２の拡大部分に示すように、取付ネジ２３ａ、２３ｂをこれらのネジ挿通孔２２ｈ、２２ｉに挿通した後、前記ハンガー部材３Ａの前面板３１の取付部３１ａに設けたネジ孔３１ｂ、３１ｃにそれぞれねじ込むことによって、前記の如く、額縁２の裏蓋２２にハンガー部材３Ａを取り付けることができる。したがって、本実施例の場合、額縁２へ額縁対象物４を収容する前に、予め裏蓋２２にハンガー部材３Ａを取り付けておくようにする。
【００２４】
前記ハンガー部材３Ａは、鉄、アルミニウム、ステンレス等の細長い金属板をベンディングマシン等により略コの字形に折り曲げて成る前面板３１と上面板３２と背面板３３とを有し、前記前面板３１は、取付部３１ａにおいて、取付ネジ２３ａ、２３ｂによって前記額縁２の裏蓋２２に固定されるようになっている。ハンガー部材３Ａによる額縁２の展示個所Ｍへの取り付け時には、ハンガー部材３Ａの前面板３１は、展示個所Ｍの前面Ｍ１に接するよう配置され、ハンガー部材３Ａの上面板３２は展示個所Ｍの頂部Ｍ２を跨ぐように載せられた状態で前後方向へ延び、ハンガー部材３Ａの背面板３３は展示個所Ｍの背面Ｍ３に沿って下方へ向けて延びるようになっている。
【００２５】
なお、ハンガー部材３Ａを展示個所Ｍに対して安定して保持し、固定するために、ハンガー部材３Ａの前記背面板３３には、壁面押えネジ等の固定手段３４ａ、３４ｂが取り付けられている。即ち、ハンガー部材３Ａの背面板３３に明けたネジ孔３３ａ、３３ｂに固定手段３４ａ、３４ｂがねじ込まれ、その先端が展示個所Ｍの背面Ｍ３を押圧することにより、ハンガー部材３Ａの前面板３１と背面板３３の間に展示個所Ｍがしっかりと挟持されて、ハンガー部材３Ａ及び額縁２が展示個所Ｍに対して安定して保持、固定されるようになっている。
【００２６】
図１〜図４に示した実施例の展示装置１Ａの主なサイズの一例を示せば、額縁２の外枠２１の横幅Ｌ１＝３１５ｍｍ（図３参照）、高さＬ２＝２２５ｍｍ、奥行Ｌ３＝１２ｍｍであり、額縁２の裏蓋２２の横幅Ｌ４＝３１３ｍｍ（図４参照）、高さＬ５＝２２３ｍｍ、奥行Ｌ６＝１０ｍｍであり、ハンガー部材３Ａの前面板３１の全長Ｌ７＝２００ｍｍ、取付部３１ａの長さＬ８＝４５ｍｍ、上面板３２の長さＬ９＝１０５ｍｍ、背面板３３の全長Ｌ１０＝２３０ｍｍ、幅Ｌ１１＝３５ｍｍ（図１参照）であるが、必ずしもこれに限定されるものではない。
【００２７】
図５は、本発明に係る展示装置における額縁の裏蓋のもう１つの実施例を示す正面図である。この裏蓋２４が、前記実施例の裏蓋２２と異なる点は、前記ハンガー部材３Ａを取り付けるための前記裏蓋２２のネジ挿通孔２２ｈ、２２ｉは縦方向に２つ並べてあったのに対して、図５の裏蓋２４のネジ挿通孔２４ａ、２４ｂは横方向に２つ並べてある点だけであり、裏蓋全体の形状、サイズ等は、前記のものと同様である。なお、前記ハンガー部材３Ａを取り付けるためのこのようなネジ挿通孔の配置は、前記額縁対象物４を鑑賞すべき縦横の向きに合わせてさまざまに変更したり、さまざまなものを併存させることが可能である。即ち、裏蓋２４の長辺の近くにネジ挿通孔２４ａ、２４ｂや、ネジ挿通孔２４ｃ、２４ｄを設けたり、或いは、裏蓋２４の短辺の近くにネジ挿通孔２４ｅ、２４ｆや、ネジ挿通孔２４ｇ、２４ｈを設けたり、或いはこれらすべてを併存させたり、その他多数のネジ挿通孔を用意することも自由である。
【００２８】
図６は、本発明に係る展示装置におけるハンガー部材のもう１つの実施例を示す４面説明図であり、（ａ）は正面図、（ｂ）は側面図、（ｃ）は平面図、（ｄ）は背面図である。このハンガー部材３Ｂが、図１、図２に示した実施例のハンガー部材３Ａと異なる点は、その前面板３１１の全長が背面板３３１の長さよりも長くなっている点である。更に、図中、３１１ａは取付部、３１１ｂ，３１１ｃはネジ孔、３２１は上面板、３３１は背面板、３３１ａ，３３１ｂはネジ孔である。これら各構成要素の構成および機能は、前記図１、図２に示した実施例のものと同様であるので、重複する説明は省略する。なお、このハンガー部材３Ｂの前面板３１１の全長Ｌ１２＝２００ｍｍ、取付部３１１ａの長さＬ１３＝４５ｍｍ、上面板３２１の長さＬ１４＝１０３ｍｍ、背面板３３１の全長Ｌ１５＝１００ｍｍ、幅Ｌ１６＝２５ｍｍであるが、必ずしもこれに限定されるものではない。
【００２９】
図７は、本発明に係る展示装置におけるハンガー部材のもう１つの実施例を示す４面説明図であり、（ａ）は正面図、（ｂ）は側面図、（ｃ）は平面図、（ｄ）は背面図である。このハンガー部材３Ｃが、図１、図２に示した実施例のハンガー部材３Ａと異なる点は、厚さの厚い展示個所に取り付けるために、その上面板３２２の長さが図１、図２のものより長くなっている点である。更に、図中、３１２ａは取付部、３１２ｂ，３１２ｃはネジ孔、３２２は上面板、３３２は背面板、３３２ａ，３３２ｂはネジ孔である。これら各構成要素の構成および機能は、前記図１、図２に示した実施例のものと同様であるので、重複する説明は省略する。なお、このハンガー部材３Ｃの前面板３１２の全長Ｌ１７＝２００ｍｍ、取付部３１２ａの長さＬ１８＝４５ｍｍ、上面板３２２の長さＬ１９＝５０５ｍｍ、背面板３３２の全長Ｌ２０＝１００ｍｍ、幅Ｌ２１＝２５ｍｍであるが、必ずしもこれに限定されるものではない。
【００３０】
次に、図８には、前記展示個所Ｍの厚さに応じて、ハンガー部材３Ｄの前面板と背面板との間隔を増減させる間隔調整手段５を設けた実施例による展示装置１Ｂが示されている。額縁２と、そのハンガー部材３Ｄへの取付部分の構成は前記図１及び図２に示した実施例の場合と同様であるので、再度の説明は省略する。この図８に示した展示装置１Ｂにおけるハンガー部材３Ｄは、第１部材３０１と、第２部材３０２と、両者を連結する連結ネジ３０３ａ、３０３ｂと、固定手段３０４ａ、３０４ｂとから構成されている。第１部材３０１には、前記展示個所Ｍの前面と接する前面板３０１ａと、この前面板３０１ａの下端域において前記額縁２に取り付けられる取付部３０１ｂと、前記展示個所Ｍの頂部に載せられる上面板３０１ｃと、この上面板３０１ｃに明けられたスロット３０１ｄとが形成されている。第２部材３０２には、前記展示個所Ｍの頂部に載せられる上面板３０２ａと、背面板３０２ｂと、前記上面板３０２ａに明けられたネジ孔３０２ｃ、３０２ｄと、前記背面板３０２ｂに明けられたネジ孔３０２ｅ、３０２ｆとが形成されている。連結ネジ３０３ａ、３０３ｂのネジ部は、前記スロット３０１ｄを通じて前記ネジ孔３０２ｃ、３０２ｄにそれぞれねじ込まれることにより、第１部材３０１と第２部材３０２とが固着されるようになっている。
【００３１】
このハンガー部材３Ｄをブロック塀等の前記展示個所Ｍ（図８では省略）の頂部に取り付ける際には、前記連結ネジ３０３、３０４を緩め、これらの連結ネジ３０３、３０４が前記スロット３０１ｄに沿ってスライドし、第１部材３０１と第２部材３０２とが互いにスライド可能な状態において、これらの第１部材３０１と第２部材３０２との間に展示個所Ｍが挟持される状態にセットし、その状態で前記連結ネジ３０３、３０４を締め込んで第１部材３０１と第２部材３０２を固定すれば、展示個所Ｍの厚さに応じて、ハンガー部材３Ｄの前面板３０１ａと背面板３０２ｂとの間隔が調整された状態で、ハンガー部材３Ｄを展示個所Ｍに固定することができる。
【００３２】
なお、前記図１及び図２に示した実施例の場合と同様に、ハンガー部材３Ｄを前記展示個所Ｍに対して安定して保持し、固定するために、ハンガー部材３Ｄの第２部材３０２の背面板３０２ｂには、壁面押えネジ等の固定手段３０４ａ、３０４ｂが取り付けられている。即ち、ハンガー部材３Ｄの第２部材３０２の背面板３０２ｂに明けたネジ孔３０２ｅ、３０２ｆに固定手段３０４ａ、３０４ｂをそれぞれねじ込み、その先端で展示個所Ｍの背面を押圧することにより、ハンガー部材３Ｄの第１部材３０１の前面板３０１ａと第２部材３０２の背面板３０２ｂとの間に展示個所Ｍがしっかりと挟持されて、ハンガー部材３Ｄ及び額縁２が展示個所Ｍに対して安定して保持、固定されるものである。
【００３３】
図９には、前記展示個所Ｍの厚さに応じて、ハンガー部材３Ｅの前面板と背面板との間隔を増減させる間隔調整手段６を設けたもう１つの実施例による展示装置１Ｃが示されている。額縁２と、そのハンガー部材３Ｅへの取付部分の構成は、この場合も前記図１及び図２に示した実施例の場合と同様であるので、再度の説明は省略する。この図９に示した展示装置１Ｃにおけるハンガー部材３Ｅは、第１部材３０５と、第２部材３０６と、両者を連結する連結ネジ３０７、３０８と、固定手段３０９ａ、３０９ｂとから構成されている。第１部材３０５には、前記展示個所Ｍの前面と接する前面板３０５ａと、この前面板３０５ａの下端域において前記額縁２に取り付けられる取付部３０５ｂと、前記展示個所Ｍの頂部に載せられる上面板３０５ｃと、この上面板３０５ｃに明けられた複数のネジ挿通孔３０５ｄ〜３０５ｈとが形成されている。第２部材３０６には、前記展示個所Ｍの頂部に載せられる上面板３０６ａと、背面板３０６ｂと、前記上面板３０６ａに明けられた複数のネジ孔３０６ｃ〜３０６ｆと、前記固定手段３０９ａ、３０９ｂをねじ込むためのネジ孔３０６ｇ、３０６ｈとが形成されている。連結ネジ３０７、３０８のネジ部は、前記複数のネジ挿通孔３０５ｄ〜３０５ｈのいずれかを通じて前記複数のネジ孔３０６ｃ〜３０６ｆのいずれかにそれぞれねじ込まれることにより、第１部材３０５と第２部材３０６とが固着されるようになっている。
【００３４】
このハンガー部材３Ｅをブロック塀等の前記展示個所Ｍの頂部に取り付ける際には、前記連結ネジ３０７、３０８を取り外し、第１部材３０５の上面板３０５ｃと第２部材３０６の上面板３０６ａとを重ね合わせた状態にして前記展示個所Ｍの頂部に載せ、且つ、これらの第１部材３０５と第２部材３０６との間に展示個所Ｍが挟持された状態にセットし、その状態において、前記複数のネジ挿通孔３０５ｄ〜３０５ｈと複数のネジ孔３０６ｃ〜３０６ｆのうちで互いの位置が合致したネジ挿通孔とネジ孔を選んで、前記連結ネジ３０７、３０８を挿通させ、締め込むことにより、第１部材３０５と第２部材３０６を固定すれば、展示個所Ｍの厚さに応じて、ハンガー部材３Ｅの前面板３０５ａと背面板３０６ｂとの間隔が調整された状態で、ハンガー部材３Ｅを展示個所Ｍに固定することができる。
【００３５】
なお、この実施例においても、前記図１及び図２に示した実施例の場合と同様に、ハンガー部材３Ｅを前記展示個所Ｍに対して安定して保持し、固定するために、ハンガー部材３Ｅの第２部材３０６の背面板３０６ｂには、壁面押えネジ等の固定手段３０９ａ、３０９ｂが取り付けられている。即ち、ハンガー部材３Ｅの第２部材３０６の背面板３０６ｂに明けたネジ孔３０６ｇ、３０６ｈに固定手段３０９ａ、３０９ｂをそれぞれねじ込み、その先端で展示個所Ｍの背面を押圧することにより、ハンガー部材３Ｅの前面板３０５ａと背面板３０６ｂの間に展示個所Ｍがしっかりと挟持されて、ハンガー部材３Ｅ及び額縁２が展示個所Ｍに対して安定して保持、固定されるものである。
【００３６】
図１０は、紐、縄、ワイヤ等の締結線を用いて、樹木、柱等の展示個所に額縁を取り付けるようにした本発明の展示装置１Ｄの実施例を示している。図１０において、（ａ）は締結線挿通具７の斜視図、（ｂ）は額縁２の裏蓋２２に締結線挿通具７を取り付けた状態を示す断面図、（ｃ）は締結線挿通具７を取り付けた額縁２を、紐その他の締結線７１により樹木７２の幹に縛り付けた状態を示す説明図である。締結線挿通具７は、金属、プラスチック等で作製された図１０（ａ）に示すような凸形状の部材であり、その脚部７ａ、７ａに明けたネジ孔７ｂ、７ｂを利用して、前記と同様の額縁２の裏蓋２２に取付ネジ２５、２５を用いて取り付けるようになっている。２１は額縁２の前記と同様の外枠、４は写真等の額縁対象物である。取り付けられた締結線挿通具７の段部７ｃと額縁２の裏蓋２２との間には間隙７ｄが形成され、この間隙７ｄに紐、縄、ワイヤ等の締結線を挿通することができる。額縁２を樹木７２等に取り付けるときは、締結線挿通具７によって形成される前記間隙７ｄに紐、縄、ワイヤ等の締結線７１を挿通し、その締結線７１で樹木７２の幹等に縛りつけるものである。なお、締結線挿通具７は額縁２の裏蓋２２に複数個取り付けておくことが推奨される。
【００３７】
図１１は、本発明に係る展示装置１Ｅにおいて、額縁２に吸盤８を取り付けた実施例を示す断面図である。シリコンラバー等で作製された吸盤８を額縁２に取り付けるためのホルダ８１は、金属、プラスチック等で作製され、その脚部８１ａ、８１ａに明けたネジ孔を利用して、前記と同様に額縁２の裏蓋２２に取付ネジ２６、２６を用いて取り付けられるようになっている。吸盤８は、そのステム部８ａを、ホルダ８１の段部８１ｂに形成したスロット８１ｃに挿入することによってホルダ８１に取り付けられる。このような吸盤８は、額縁２の裏蓋２２に複数個取り付けておくことが推奨され、それらの吸盤８を、ガラス、プラスチック等の展示個所の平滑な表面に真空吸着させることによって、額縁２を当該展示個所に取り付けることができる。
【００３８】
図１２は、本発明に係る展示装置１Ｆにおいて、額縁２に磁石９を取り付けた実施例を示す断面図である。磁石９を額縁２に取り付けるためのホルダ９１は、金属、プラスチック等で作製され、その脚部９１ａ、９１ａに明けたネジ孔を利用して、前記と同様に額縁２の裏蓋２２に取付ネジ２７、２７を用いて取り付けられるようになっている。磁石９は、接着材その他の手段によりホルダ９１の段部９１ｂ上に取り付けられる。このような磁石９は、額縁２の裏蓋２２に複数個取り付けておくことが推奨され、それらの磁石９を、磁性体金属部を有する展示個所の表面に吸着させることによって、額縁２を当該展示個所に取り付けることができる。なお、磁石９の背面から側面の周囲を磁性体金属から成るヨーク部材によって囲繞し、磁力線を集中させることにより、吸着力を増加させるように構成することも推奨される。
【００３９】
尚、本発明の構成は前記実施例に限定されるものではなく、例えば、額縁として長方形以外の形状のものを用いたり、額縁とハンガー部材等との取付手段や、ハンガー部材の前記間隔調整手段、前記固定手段、等々の形態も適宜変更することが可能であり、したがって、本発明はその要旨を逸脱しない範囲内における各種設計変更例を広く包摂するものである。
【産業上の利用可能性】
【００４０】
本発明は以上の如く構成したため、本発明によるときは、野外のイベント会場等において、周囲に存在するブロック塀、堤防、等々のさまざまな展示個所に額縁を取り付けて展示することのできる展示装置を提供し得るものである。また、額縁対象物の表面に防水処理を施したことにより、にわか雨などの突然の天候の変化にも対応できる。また、額縁の外枠および裏蓋や、前記取付装置としてのハンガー部材は、鉄、アルミニウム等の金属をベンディングマシンで折り曲げることによって容易に加工でき、部品数も少ないため、低コストで製造できる。更にまた、本発明の展示装置は、野外に限らず、室内の各種各様の展示個所にも容易に取り付けて使用することができる。
【符号の説明】
【００４１】
１Ａ〜１Ｆ      展示装置
２              額縁
２１            外枠
２１ａ〜２１ｄ  前縁
２１ｅ〜２１ｈ  側縁
２１ｉ、２１ｊ  Ｕ字形切欠き
２１ｍ、２１ｎ  止めネジ
２１ｗ          表示窓部
２２            裏蓋
２２ａ          板部
２２ｂ〜２２ｅ  側縁
２２ｆ、２２ｇ  ネジ孔
２２ｈ、２２ｉ  ネジ挿通孔
２３ａ、２３ｂ  取付ネジ
２４            裏蓋
２４ａ〜２４ｈ  ネジ挿通孔
２５〜２７      取付ネジ
３Ａ〜３Ｆ      ハンガー部材
３１            前面板
３１ａ          取付部
３１ｂ、３１ｃ  ネジ孔
３２            上面板
３３            背面板
３３ａ、３３ｂ  ネジ孔
３４ａ、３４ｂ  固定手段
３０１          第１部材
３０１ａ        前面板
３０１ｂ        取付部
３０１ｃ        上面板
３０１ｄ        スロット
３０２          第２部材
３０２ａ        上面板
３０２ｂ        背面板
３０２ｃ、３０２ｄ  ネジ孔
３０３ａ、３０３ｂ  連結ネジ
３０４ａ、３０４ｂ  固定手段
３０５          第１部材
３０５ａ        前面板
３０５ｂ        取付部
３０５ｃ        上面板
３０５ｄ〜３０５ｈ  ネジ挿通孔
３０６          第２部材
３０６ａ        上面板
３０６ｂ        背面板
３０６ｃ〜３０６ｆ  ネジ孔
３０６ｇ、３０６ｈ  ネジ孔
３０７、３０８  連結ネジ
３０９ａ、３０９ｂ  固定手段
３１１          前面板
３１１ａ        取付部
３１１ｂ、３１１ｃ  ネジ孔
３１２          前面板
３１２ａ        取付部
３１２ｂ、３１２ｃ  ネジ孔
３２１          上面板
３２２          上面板
３３１          背面板
３３１ａ、３３１ｂ  ネジ孔
３３２          背面板
３３２ａ、３３２ｂ  ネジ孔
４              額縁対象物
５、６          間隔調整手段
７              締結線挿通具
７ａ、７ａ      脚部
７ｂ、７ｂ      ネジ孔
７ｃ、７ｃ      段部
７ｄ            間隙
７１            締結線
７２            樹木
８              吸盤
８ａ、８ａ      ステム部
８１            ホルダ
８１ａ、８１ａ  脚部
８１ｂ          段部
８１ｃ          スロット
９              磁石
９１            ホルダ
９１ａ、９１ａ  脚部
９１ｂ          段部
Ｍ              展示個所
Ｍ１            前面
Ｍ２            頂部
Ｍ３            背面
【図１】
2017051268.tif 000003
【図２】
2017051268.tif 000004
【図３】
2017051268.tif 000005
【図４】
2017051268.tif 000006
【図５】
2017051268.tif 000007
【図６】
2017051268.tif 000008
【図７】
2017051268.tif 000009
【図８】
2017051268.tif 000010
【図９】
2017051268.tif 000011
【図１０】
2017051268.tif 000012
【図１１】
2017051268.tif 000013
【図１２】
2017051268.tif 000014